(57)【特許請求の範囲】
【請求項１】
障子のたてかまちが対向する窓枠に配置される網戸収納かまちと、
この網戸収納かまちと前記障子間に配置される網戸操作かまちと、
前記網戸収納かまち側に収納されると共に、前記網戸操作かまち側に網目部材の先端が取付けられた網戸と、
前記障子のたてかまちに対し、前記網戸操作かまちを係着及び係脱自在に操作可能な網戸キャッチ及び受けとを備えた網戸装置において、
前記網戸操作かまちに取付けられたトリガー部及びトリガー部を構成するトリガーの後部が出没する後部出没孔と、前記網戸キャッチの連動棹に形成され、且つ、トリガーの先部が出没可能な先部出没孔から構成されている一体手段を備え、
そのトリガーは、前記網戸キャッチ及び受けがオンのときに、前記先部出没孔にトリガーの先部が入込み、前記連結棹のスライドを規制することを特徴とする網戸装置。
【請求項２】
前記網戸はロール式網戸であることを特徴とする請求項１に記載の網戸装置。
【請求項３】
前記網戸操作かまちが前記たてかまちから係脱されているときに、前記網戸操作かまちの操作を規制するロック手段を設けたことを特徴とする請求項１又は同２に記載の網戸装置。
【発明の詳細な説明】
【技術分野】
【０００１】
本発明は、窓等に取付けられる網戸装置に関する。
【背景技術】
【０００２】
従来から引違い窓の障子とロール式網戸とをユニットとして一体的に組合わされて構成される網戸装置が存在する。
かかる網戸装置は、引違い窓の障子を左右何れか一方に引寄せて開口を形成し、この開口を覆うように網戸操作かまちをスライド操作して網目部材をロール式網戸収納部から繰出して使用されていた。
しかし、網戸操作かまち単体を左右方向に上手にバランスよくスライド操作することは難しく、網目部材を引出して窓の開口を閉じる際に、その操作の途中で網戸操作かまちが窓枠から外れる場合があった。
【０００３】
一方、窓の開口に使用されている網戸をロール式網戸収納部に繰入れる場合に、窓枠等に係着されている網戸操作かまちをその係着を解除してロール式網戸の付勢力に任せると、網目部材が綺麗に巻込まれない場合があった。
またロール式網戸の付勢力に任せないまでも、網戸操作かまちをバランスよく、移動させることは難しく、網戸操作かまちが窓枠から外れたりして網戸装置の故障の原因となっていた。
【０００４】
上記のような問題点を解決するものとして、特許文献１のサッシを挙げることができる。この文献１のサッシは、引違い障子を片側に寄せたときの開口を障子に内蔵された網戸で塞ぐものであり、障子の戸当り框に取付けられた巻取り装置と、サッシ竪枠側に設けられた網戸戸当り框と、巻取り装置から引き出される網材と、障子上框又は障子下框に引き出可能に収容さている網戸上框及び網戸下框と、網戸上下框に取付けられた、且つ、引き出された網材の上下端を順次に係止するファスナ部材とからなる。前記巻取り装置のカバー部材では、網材の出入口に上下方向にわたって設けられた横断面円弧状部の中間部が網材に当接するような形状に工夫され、網材を張りながら巻取りでき、巻取りをスムーズに行うことができるとされている（段落０００９）。
【特許文献１】特開２００３−３０７０８３
【発明の開示】
【発明が解決しようとする課題】
【０００５】
しかし、特許文献１のサッシにおいては、網戸上框１５及び網戸下框１９により網戸操作框をスライドさせる構成となっているため、網戸上框１５及び網戸下框１９が必要であり、また網材の上下端を順次に係止するファスナ部材等が必要となること等、網戸装置の構造が複雑となっている。
【０００６】
そこで、本発明は、網戸装置の構造を複雑にせず、網戸装置の網戸操作かまちのスライドが円滑に行え、網目部材の保護を図ることができる網戸装置を提供することを目的とする。
【課題を解決するための手段】
【０００７】
上記課題を解決するため、障子のたてかまちが対向する窓枠に配置される網戸収納かまちと、この網戸収納かまちと前記障子間に配置される網戸操作かまちと、前記網戸収納かまち側に収納されると共に、前記網戸操作かまち側に先端が取付けられた網戸と、前記障子のたてかまちに対し、前記網戸操作かまちを係着及び係脱自在に操作可能な網戸キャッチ及び受けを設けた網戸装置である。
ここに、「網戸収納かまち」は、窓枠と別体のものと窓枠と一体のものが含まれる。
【０００８】
前記網戸装置は、網戸操作かまちに取付けられたトリガー部及びトリガー部を構成するトリガーの後部が出没する後部出没孔と、前記網戸キャッチの連動棹に形成され、且つ、トリガーの先部が出没可能な先部出没孔から構成されている一体手段を備える。
【０００９】
そのトリガーは、前記網戸キャッチ及び受けがオンのときに、前記先部出没孔にトリガーの先部が入込み、前記連結棹のスライドを規制することを特徴とする（以上、請求項１に記載の網戸装置）。
【００１０】
上記発明において網戸はロール式網戸であることを特徴とする網戸装置とした（請求項２に記載の発明）。
【００１１】
前記網戸操作かまちが前記たてかまちから係脱されているときに、前記網戸操作かまちの操作を規制するロック手段を設けたことを特徴とする請求項１又は同２に記載の網戸装置とした（請求項３に記載の発明）。
【発明の効果】
【００１２】
本発明によれば、前記網戸操作かまちが前記たてかまちに係着されて網戸を使用している状態では、前記一体手段により網戸装置の網戸操作かまちの操作ができなくなる。よって、網戸操作かまち単体の操作による窓枠からの「外れ」を防ぐことができる。また網戸操作かまちの操作が行えず網目部材の繰出し／繰入れが制限されて、網目部材の保護を図ることができる。
【発明を実施するための最良の形態】
【００１３】
本発明を実施するための実施形態を図面に基いて説明する。
図１（ａ）はロック手段を備えた網戸装置が取付けられた引違い窓の横断面、同図（ｂ）及び（ｃ）はそれぞれ外障子及び内障子の網戸装置の要部横断面、図２は図１（ｃ）に示した内障子の網戸装置の要部斜視図、図３（ａ）〜（ｃ）はロック手段の詳細な構成図及び同動作説明図である。
【００１４】
図４（ａ）は一体手段を備えた網戸装置が取付けられた引違い窓の横断面、同図（ｂ）及び（ｃ）はそれぞれ外障子及び内障子の網戸装置の要部横断面、図５は図４（ｃ）に示した内障子の網戸装置の要部斜視面、図６（ａ）及び（ｂ）は一体手段の詳細な構成図及び同動作説明図である。
【００１５】
図７はロック手段及び一体手段を備えた網戸装置の要部斜視図、図８（ａ）〜（ｃ）は図７に示した網戸装置の動作説明図である。
これらの各図において、同一の構成は同一の符号を付して重複した説明を省略する。
【００１６】
図１〜図３に示した網戸装置１は、引違い窓のたて枠２と内外障子３、４の各たてかまち３０、４０の間に配置されるもので、障子３、４のみの使用中は、網戸収納かまち１０から網戸操作かまち１１を分離させないロック手段８を備えている。
障子３、４のみを使用している状態では、前記ロック手段８により網戸操作かまち１１単体の操作ができなくなり、網戸操作かまち１１が窓枠から外れ難たくなる。またロール式網戸（単に網戸とも称する）５の網目部材５０の繰出し／繰入れが制限されて、網目部材５０の「捩れ」等の発生が防止され、網目部材５０の保護を図ることができる。
【００１７】
また、図４〜図５に示した網戸装置１Ａは、引違い窓のたて枠２と内外障子３、４の各たてかまち３０、４０の間に配置されるもので、網戸５の使用中は網戸操作かまち１１を障子３、４から分離させない一体手段９を備えている。
障子３、４と網戸５を連結させて網戸として使用している状態では、前記一体手段９により網戸操作かまち１１を単独に操作できなくなり、網目部材５０の繰入れの際の網目部材５０の「捩れ」等の発生を防ぐことができる。また網戸５の使用中は網戸操作かまち１１と障子３、４が常に一体的に操作されることから、網戸操作かまち１１が窓枠から外れることがなく、その円滑な操作が可能となる。
【００１８】
また、図７〜図８に示した網戸装置１Ｂは、ロック手段８と一体手段９を統合させたもので、前記ロック手段８及び一体手段９により、障子３、４のみの使用の際にも、また障子３、４と網戸５を連結させて網戸として使用している際にも、網戸操作かまち１１の単体での動作が制約される。よって、網戸操作かまち１１や網目部材５０の上述の不具合の発生を抑えことができ、網戸装置の維持管理を容易にすることができる。
【００１９】
前記網戸装置１は、図１（ａ）〜（ｃ）に示したように、内外障子３、４の各たてかまち３０，４０がそれぞれ対向するたて枠２、２に配置される網戸収納かまち１０と、この網戸収納かまち１０と前記障子３、４間に挟まるように配置される網戸操作かまち１１と、前記網戸収納かまち１０側に収納される共に、前記網戸操作かまち１１側に網目部材５０の先端５１が取付けられた網戸５と、前記たてかまち３０，４０に対し前記網戸操作かまち１１を係着及び係脱自在に操作可能な網戸キャッチ６及び受け７（図２参照）と、前記網戸操作かまち１１が前記たてかまち３０、４０から係脱して網戸操作かまち１１を単体で操作可能なときに、前記網戸操作かまち１１の操作を規制する一方、前記網戸操作かまち１１と前記たてかまち１０との係着に連動させて前記網戸操作かまち１１に対する操作規制を解除可能にするロック手段８から構成されている。
以下に、これらの構成を詳細に説明するが、内外障子３、４にそれぞれ配置されている網戸装置１は略同一であることから、内障子４側に取付けられる網戸装置１の構成を中心に説明する。
【００２０】
前記網戸収納かまち１０は、窓枠のたて枠２に固定されるもので、その長さ寸法は前記たて枠２に略等しく、図２のように全体形状は中空の略４角柱状に成形されている。
この網戸収納かまち１０は、網戸５を収容する中空部１００と、網戸５の網目部材５０の繰入れと繰出しが行われる縦長の開口１０１と、前記ロック手段８を構成するラッチ部８０が取付けられるラッチ部取付ヒレ１０２を備えている。
この実施形態の網戸収納かまち１０は窓枠のたて枠２とは別体のものであるが、前記たて枠２と一体のものでもよい。
【００２１】
前記網戸操作かまち１１は、図１（ａ）及び図１（ｃ）に図示されている如く前記網戸収納かまち１０の縦長開口１０１を塞ぐように隣接して配置されるもので、その長さ寸法は前記網戸収納かまち１０に略等しく、その上下端は前記窓枠の上下枠（図示せず）にのみ込まれる寸法で成形されている。
この網戸操作かまち１１はその横断面形状が略逆Ｓ字状に成形されており、網戸５の先端５１を折返して取付ける折返凹部１１０と次のような各部を取付けることができる取付凹部１１１を備えている。
即ち、図２に示されているように、取付凹部１１１には前記網戸キャッチ６と対になる受け７が取付けられ、前記ラッチ部８０が係止されるラッチ孔８２が形成されている。
【００２２】
前記網戸収納かまち１０の中空部１００に収容される網戸５は、図１（ｃ）のように中空部１００に回転可能に取付けられる回転軸５２と、この回転軸５２に巻取られる網目部材５０と、この網目部材５０の巻取方向に前記回転軸５２を付勢する付勢手段（図示せず）を備えている。
前記網目部材５０の先端５１は上述のとおり前記折返凹部１１０に取付けられており、前記網戸操作かまち１１を操作することで、網目部材５０はその付勢力に抗して引き出し可能であるが、前記ロック手段８によりその操作が制限されている。
なお、網戸５はこの実施形態のようにロール式網戸のほか、プリーツ状に折畳まれているものでもよい。
【００２３】
前記網戸キャッチ６及び受け７は、障子４のみを使用する場合と障子４と網戸５を連結させて網戸として使用する場合とを切り替えるスイッチとなるものである。
前記網戸キャッチ６は、図２に示したように、室内外から上下方向にスライド操作ができるキャッチレバー６０と、このキャッチレバー６０のスライド力が伝達されるキャッチ本体６１と、このキャッチ本体６１に連動される連動棹６２と、この連動棹６２に取付けられるラッチ押下片６３及びカマ６４からなる。該カマ６４は、図２に示したように連動棹６２の３箇所に取付けられているが、これに限定されるものではなく、少なくとも１箇所に取付ければよい。
前記ラッチ押下片６３は、前記ロック手段８による網戸操作かまち１１に対する操作規制を解除可能にするものであり、また前記ラッチ押下片６３の形状は、略台形状であって網戸操作かまち１１の取付凹部１１１に対する凸部となっていて、網戸操作かまち１１に対するガタ止めの役割を果たしている（それぞれ詳細は後述する）。
【００２４】
前記受け７は、前記キャッチレバー６０のスライド操作により前記カマ６４を係着させたり、係脱させるもので、図２のように前記カマ６４に対応する位置の前記網戸操作かまち１１に取付けられている。
【００２５】
以上の構成において、前記網戸操作かまち１１と網戸収納かまち１０とが略当接された状態（障子４を閉鎖した状態）で、前記キャッチレバー６０を下方にスライドさせる（以下、網戸オン操作という）。その結果、前記受け７の開口７０に入り込んでいた前記カマ６４のフックが前記開口７０の下辺７１に係り着けられる状態となり、前記網戸操作かまち１１が前記たてかまち４０に係着され、障子４と網戸５が連結されて網戸５として使用できる。
一方、前記網戸操作かまち１１と網戸収納かまち１０とが略当接された状態（障子４を閉鎖した状態）で、前記キャッチレバー６０を上方にスライドさせる（以下、網戸オフ操作という）。その結果、前記カマ６４のフックが前記受け７の下辺７１から係りが脱せられる状態となり、前記網戸操作かまち１１が前記たてかまち４０から係脱され、障子４のみの使用可能状態となる。
【００２６】
前記ロック手段８は、網戸オフ操作の状態のもとで、網戸収納かまち１０に対し網戸操作かまち１１を施錠状態にして操作できなくするもので、図２の図示のように前記ラッチ部８０と、このラッチ部８０が係止され、且つ、前記網戸操作かまち１１に形成されるラッチ孔８２から構成されている。
【００２７】
図３（ａ）〜（ｃ）に基づいて前記ロック手段８の構成及びその作用を詳細に説明する。
図３（ａ）のように、前記ラッチ部８０は、ラッチ８１とこのラッチ８１を常時上方向に付勢するバネ８３と、ラッチ８１を上下方向にスライド自在に、バネ８３を上下方向に伸縮自在に組み込む筐体８４と、この筐体８４を前記ラッチ部取付ヒレ１０２に取りける背板８５からなる。
前記ラッチ孔８２は、ラッチ８１が下方に沈まされた状態のラッチ部８０が収まるサイズに形成された開口であって、その開口の下辺８２０（図２参照）が筐体８４の底辺に略一致した位置に、その開口の上辺８２１（図２参照）が筐体８４の上辺より若干上方の位置に形成されている。
【００２８】
前記網戸オフ操作により、前記キャッチレバー６０を上方にスライドし、障子４を開放する状態では、図３（ａ）のように、ラッチ孔８２の開口からたてかまち４０側に臨まされたラッチ８１は、ラッチ孔８２の開口の上辺８２１から上方に付勢されており、網戸操作かまち１１が前記網戸収納かまち１０に施錠されている。
前記網戸オフ操作によって前記連結棹６２が上方にスライドされているので、障子４の開閉により前記ラッチ押下片６３が前記ラッチ部８０に影響を与えないように位置されている。
従って、障子４が開放されている際の不用意な網戸操作かまち１１の単体での操作が規制され、網戸操作かまち１１の窓枠からの外れを防ぐことができる。また、網戸操作かまち１１の無理な操作による網目部材５０の繰出し／繰入れに伴う「捩れ」等の発生を防止することができる。
【００２９】
一方、前記網戸オン操作で、前記キャッチレバー６０を下方にスライドすると、図３（ｂ）に図示される如く、前記ラッチ押下片６３が前記ラッチ部８０のラッチ８１をその付勢力に抗するように押下げる。そしてラッチ８１が下方に沈むと、ラッチ孔８２の開口からラッチ部８０が引抜き可能になる。
そのまま障子４をスライドさせると、図３（ｃ）のごとくラッチ部８０がラッチ孔８２から抜け、障子４をさらに開けば網戸５が障子４に連れて行かれることとなる。
よって、前記網戸オン操作に連動させて、前記網戸操作かまち１１に対する操作規制を解除可能にすることができる。
【００３０】
なお、ラッチ部８０がラッチ孔８２から抜けた段階で前記ラッチ８１が付勢復帰されるものの、前記網戸オン操作中であれば、前記ラッチ押下片６３がラッチ８１に当接するごとにラッチ８１を押下げるので、ロック手段８は動作しない。
よって、操作者は、前記網戸オン操作を維持することで、障子４の開閉により網目部材５０の繰出し繰入を快適に行うことができる。
【００３１】
上記実施形態の網戸装置１は引き違い窓に用いられているが片引き窓、その他の窓に用いてもよい。また窓に限られず、障子等の開閉部材に連結させることができれば、どのような形態の開口部にも利用することができる。
【００３２】
上記網戸装置１の作用効果を纏めると次のようである。
ａ．  ロック手段８により網戸操作かまち１１が網戸収納かまち１０に施錠されるので、障子４のみの使用中は不用意な網目部材５０の繰出／繰入が行えず、網戸操作かまち１１のスライドの不具合や網目部材５０の捩れや捩れ状態のままの網目部材５０の繰出／繰入を避けることができ、網戸装置１の故障の発生を押えることができる。
ｂ．  前記ロック手段８による施錠は、前記網戸オフ操作で行うことができ、一方、前記ロック手段８に対する解除は、前記網戸オン操作で行うことができるので、網戸装置１の操作方法が明確となり網戸の取扱いが容易となっている。
ｃ．  網戸操作かまち１１が網戸収納かまち１０に施錠されているときには、上記ａの作用効果に加え、前記ロック手段８により、網戸操作かまち１１のガタツキを防止できる。
ｄ．  一方、網戸操作かまち１１の施錠が解除されていても、障子４と共とにスライドする網戸操作かまち１１の取付凹部１１１には前記ラッチ押下片６３が嵌め込まれているので（図３（ｃ）参照）、前記ラッチ押下片６３が網戸操作かまち１１のガタツキ防止として作用する。よって、さらに網戸５の円滑な操作が可能となる。
ｅ．  前記ロック手段８のオン／オフは、網戸オン／オフ操作による連動棹６２の上げ下げに連動されるので、複雑な操作は不要である。
ｆ．  網戸オン操作により網戸操作かまち１１が障子４と共にスライドするので、網戸操作かまち１１が窓枠から脱線することがなくなる。
ｇ．  網戸操作かまち１１の単体での操作を制限するだけであるので、網戸装置の構成を複雑にする必要がない。
【００３３】
次に、一体手段９を備えた網戸装置１Ａの構成例を説明する。
図４（ａ）〜（ｃ）に示した網戸装置１Ａは、前記網戸装置１に共通する構成として、内外障子３、４の各たてかまち２に配置される網戸収納かまち１０と、操作かまち１１と、網戸５と、網戸キャッチ６及び受け７を備える。そして前記網戸操作かまち１１が前記たてかまち４０に係着され、且つ、網戸５が使用されているときに、前記網戸操作かまち１１の操作を規制する一体手段９を備えている。
以下に、前記網戸装置１に共通する構成については、詳細な説明を省略すると共に、内外障子３、４にそれぞれ配置されている一体手段９は略同一であることから、内障子４側に取付けられる一体手段９の構成を中心に説明する。
【００３４】
図５のように、前記一体手段９は前記網戸操作かまち１１の取付凹部１１１に取付けられたトリガー部９０及びトリガー部９０を構成するトリガー９１の後部が出没する後部出没孔９００と、前記網戸キャッチ６の連動棹６２に形成され、且つ、トリガー９１の先部が出没可能な先部出没孔９０１から構成されている。
【００３５】
図６（ａ）及び（ｂ）に基づいて前記一体手段９の構成を詳細に説明すると共に、その作用も説明する。
図６（ａ）のように、トリガー部９０は、トリガー９１とこのトリガー９１を回転可能に取付ける軸９２と、この軸９２に対して図面上、常時時計回りにトリガー９１の回転を附勢するバネ９３と、その回転を規制するストッパー９４と、これらを組み込むと共に、ストッパー９４に規制されたトリガー９１の後部を網戸収納かまち１０側に臨ませる前記後部出没孔９００を設けたボックス９５と、このボックス９５を前記取付凹部１１１に取りける板部９６からなる。
【００３６】
前記トリガー９１は、ストッパー９４に当接される第１片９１０と、先部に相当する第２片９１１と、第１片９１０がストッパー９４に当接されるときに、前記後部出没孔９００に入り込む後部に相当する第３片９１２からなる。
【００３７】
かかる一体手段９の動作例を図６（ａ）及び図６（ｂ）に基づいて説明する。
前記網戸オン操作で、前記キャッチレバー６０を下方にスライドさせて、障子４及び網戸５をスライドさせると、図６（ａ）に図示される如く、バネ９３の付勢力により、トリガー９１がストッパー９４に規制されるまで時計回りに回転する。
【００３８】
その結果、図６（ｂ）の如く、トリガー９１の第２片９１１が前記連結棹６２の先部出没孔９０１に入り込み、その第２片９１１の平坦面９１１ａが前記先部出没孔９０１の開口の下片９０１ａに略当接して連結棹６２の上方へのスライドを規制することになる。そして前記キャッチレバー６０の上方へのスライド操作が規制され、前記網戸操作かまち１１が前記たてかまち４０に係着される状態が維持され、網戸５の使用中は網戸操作かまち１１を障子４から分離させないようになっている。
従って、網戸使用中は網戸操作かまち１１の単体の使用が規制され、網目部材５０の繰入れの際の網目部材５０の「捩れ」等の発生を防ぐことができる。また網戸５の使用中は網戸操作かまち１１と障子３、４が常に一体的に操作されることから、網戸操作かまち１１が窓枠から外れることがなく、その円滑な操作が可能となる。
特に、前記キャッチレバー６０の不用意な操作により、網戸操作かまち１１が網戸５の付勢力のままバランスが崩れた状態で網戸収納かまち１０側に引寄せられるようなことが避けられる。
【００３９】
前記障子４と網戸５の一体関係を解除するには、網戸操作かまち１１を前記網戸収納かまち１０に略当接させる、即ち、障子４を閉鎖した状態にする。網戸操作かまち１１を前記網戸収納かまち１０に略当接されると、トリガー９１の第３片９１２が網戸収納かまち１０のパッド片８５に当接され、トリガー９１がバネ９３の付勢力に抗して反時計回りに回転させられ、一方、第２片９１１は、先部出没孔９０１から排除される（図６（ａ）参照）。その結果、前記網戸操作かまち１１の操作規制が解除される。
なお、この状態は、前記網戸操作かまち１１が前記たてかまち４０に係着又は係脱可能な状態でもある。
【００４０】
この状態から、障子４のみを開閉させる場合には、網戸オフ操作を行う。この操作で、連結棹６２が上方にスライドされると共に、先部出没孔９０１も上方に位置され、トリガー９１の第２片９１１は、常時、先部出没孔９０１から排除される。よって、前記網戸操作かまち１１が前記たてかまち４０から係脱されたときに、前記網戸操作かまち１１の操作規制が禁止され、前記障子４と網戸５の一体関係の解除状態が維持され、障子４のみを開閉させることができる。
【００４１】
上記網戸装置１Ａの作用効果を纏めると次のようである。
ａ．  網戸５の使用中は、一体手段９により前記キャッチレバー６０の上方へのスライド操作が規制され、網戸操作かまち１１を障子４から分離させないようになっており、網戸操作かまち１１単体での操作が規制される。よって前記キャッチレバー６０の不用意な操作により、網戸操作かまち１１が網戸５の付勢力のままバランスが崩れた状態で網戸収納かまち１０側に引寄せられるようなことが避けられる。また、網戸５の付勢力のまま、網目部材５０が繰入られることがなくなり網目部材５０の「捩れ」等の発生を防ぐことができる。
ｂ．  前記一体手段９のオン／オフは、網戸オン／オフ操作による連動棹６２の上げ下げに連動されるので、複雑な操作は不要である。
ｃ．  網戸操作かまち１１にトリガー部９０を配置するだけであるので、網戸装置の構成体を変更する必要がない。
【００４２】
次に図７のように、前記ロック手段８を備えた網戸装置１に前記一体手段９を統合させて網戸装置１Ｂを構成してもよい。
即ち、前記網戸装置１の網戸操作かまち１１にトリガー部９０を、その連動棹６２に先部出没孔９０１を、その網戸操作かまち１１に後部出没孔９００を設ける。
各構成の詳細は、網戸装置１及び網戸装置１Ａと同様であるので、詳細な説明は省略する。
【００４３】
前記ロック手段８及び一体手段９を統合させた場合の網戸装置１Ｂの作用は図８（ａ）〜（ｃ）に図示されている通りである。
「障子のみの使用」
障子４のみを使用する場合には、網戸オフ操作で障子４を開閉すればよい。
この障子４の使用状態においては、図８（ａ）のように、ラッチ部８０がラッチ孔８２に係止され、よって、網戸操作かまち１１が前記網戸収納かまち１０に施錠された状態となっている。
この施錠状態においては、トリガー部９０のトリガー９１の第３片９１２が網戸収納かまち１０に当接され、トリガー９１の第２片９１１が取付凹部１１１に納まっている。よって障子４の動作と一体手段９とは無関係となっている。
同時に、前記キャッチレバー６０の網戸オフ操作で前記ラッチ押下片６３が前記ロック手段８に影響を与えないように、上方に位置されている。
【００４４】
「障子及び網戸の使用」
網戸オン操作の後に障子４を開閉すればよい。
網戸オン操作により、図８（ｂ）に図示される如く、前記ラッチ押下片６３が前記ラッチ部８０のラッチ８１をその付勢力に抗するように押下げるとラッチ８１が下方に沈み、ラッチ孔８２の開口からラッチ部８０が解除可能になる。
この時点では、一体手段９は動作していないが、障子４を徐徐に開放するに従い、トリガー部９０のバネ９３の付勢力により図８（ｃ）のように、トリガー９１の第２片９１１が前記連結棹６２の先部出没孔９０１に入り込んでいく状態となる。その結果、第２片９１１の平坦面９１１ａ及びストッパー９２が前記連結棹６２の上方へのスライドを規制することとなる。
「障子のみの使用中に網戸の使用に変更する場合」
一旦、障子４を閉じて、網戸オン操作を行う。この操作に連動して、網戸操作かまち１１が前記網戸収納かまち１０から解錠されると共に一体手段９のトリガー９１の第２片９１１が前記連結棹６２の先部出没孔９０１に入り込んでいく準備が完了する。よって網戸オン操作の後、障子４を開閉すればよい。
「網戸の使用中に障子のみの使用に変更する場合」
一旦、障子４及び網戸５を閉じて、網戸オフ操作を行う。この操作に連動して、網戸操作かまち１１が前記網戸収納かまち１０に施錠されると共に、一体手段９のトリガー９１の第２片９１１が前記連結棹６２の先部出没孔９０１に入り込んでいくことが禁止される。よって網戸オフ操作の後、障子４を開閉すればよい。
【００４５】
上記網戸装置１及び１Ａの効果に加え、網戸装置の１Ｂの作用効果を纏めると次のようである。
ａ．  前記ロック手段８及び一体手段９により、網戸操作かまちの単独動作を制約することで網戸５が障子４と常に一体的に作動することなり、網戸装置の保護を図ることができる。
即ち、網戸操作かまち１１が窓枠から脱線することなく、また網目部材５０の保護を図ることができる。
ｂ．  前記ロック手段８と一体手段９のそれぞれのオン／オフは、網戸オン／オフ操作による連動棹６２の上げ下げに連動されるので、複雑な操作は不要である。
ｃ．  障子４のみの使用中に網戸５の使用へ変更する場合、また網戸５の使用中に障子４のみの使用に変更する場合、一旦、障子４を閉鎖させることとする。
即ち、障子４のみの使用中での網戸操作かまち１１単体の操作による網目部材の繰出し及び網戸５の使用中での網戸操作かまち１１単体の操作による網目部材の繰入をできないようにして、網戸操作かまち１１、網目部材５０等の網戸装置の保護を徹底している。
ｄ．  網戸装置の基本的な構成体の数を増やすことなく、その構成体を加工することで、網戸装置の維持管理が容易になる。
【図面の簡単な説明】
【００４６】
【図１】（ａ）  ロック手段を備えた網戸装置が取付けられた引違い窓の横断面、（ｂ）及び（ｃ）  それぞれ外障子及び内障子の網戸装置の要部横断面、
【図２】図１（ｃ）に示した内障子の網戸装置の要部斜視面、
【図３】（ａ）〜（ｃ）  ロック手段の詳細な構成図及び同作用動作説明図、
【図４】（ａ）  一体手段を備えた網戸装置が取付けられた引違い窓の横断面、（ｂ）及び（ｃ）  それぞれ外障子及び内障子の網戸装置の要部横断面、
【図５】図４（ｃ）に示した内障子の網戸装置の要部斜視面、
【図６】（ａ）及び（ｂ）  一体手段の詳細な構成図及び同作用動作説明図、
【図７】ロック手段及び一体手段を備えた網戸装置の要部斜視図、
【図８】（ａ）〜（ｃ）  図７に示した網戸装置の作用説明図である。
【符号の説明】
【００４７】
１  １Ａ  １Ｂ  網戸装置
２  たて枠
３、４  内外障子                        ３０、４０  たてかまち
５  網戸                                ５０  網目部材
５１  先端                              ５２  回転軸
６  網戸キャッチ                        ６０  キャッチレバー
６１  キャッチ本体                      ６２  連動棹
６３  ラッチ押下片                      ６４  カマ
７  受け                                ７１  下辺
８  ロック手段                          ８０  ラッチ部
８１  ラッチ                            ８２  ラッチ孔
８３  バネ                              ８４  筐体
８５  背板                              ８２０  下辺
８２１  上辺
９  一体手段                            ９０  トリガー部
９１  トリガー                          ９００  後部出没孔
９０１  先部出没孔                      ９２  軸
９３  バネ                              ９４  ストッパー
９５  ボックス                          ９６  板部
９１０  第１片                          ９１１  第２片
９１２  第３片
９１１ａ  第２片の平坦面                ９０１ａ  下片９
１０  網戸収納かまち                    １００  中空部
１０１  縦長の開口                      １０２  ラッチ部取付ヒレ
１１  網戸操作かまち                    １１０  折返凹部
１１１  取付凹部
【図１】
0005139825.tif 000002
【図２】
0005139825.tif 000003
【図３】
0005139825.tif 000004
【図４】
0005139825.tif 000005
【図５】
0005139825.tif 000006
【図６】
0005139825.tif 000007
【図７】
0005139825.tif 000008
【図８】
0005139825.tif 000009